(57)【要約】【課題】  本発明は各種機器から放出される静電気を中和する装置であり、特に貴陽石で形成されるセラミックを使用したマイナスイオン発生器から発生するマイナスイオンを使用し、プラスイオンを中和させ、人体への影響を無くす静電気中和装置を提供するものである。【解決手段】  パーソナルコンピュータ１に使用されるＣＲＴディスプレイ２には静電気が発生し、この静電気をＣＲＴディスプレイ２の上方に設けられたダクト６にマイナスイオンを供給し、ダクト６に形成された長孔６ａ〜６ｅからマイナスイオンを放出して静電気を中和する。特に、本発明はダクト６に供給するマイナスイオンを貴陽石で形成されるセラミック１０で生成し、小型のマイナスイオン発生器７を使用して静電気を中和し、人体への悪影響を無くす構成である。【選択図】図１
2006059534.tif 000002
【特許請求の範囲】
【請求項１】
ＣＲＴ表示器の表面近傍に設けられ、所定間隔で長孔が設けられたダクトと、
貴陽石を材料とするセラミックに高電圧を印加し、マイナスイオンを発生するマイナスイオン発生器と、
該マイナスイオン発生器で発生したマイナスイオンを前記ダクトに導くガイド部材と、
より成ることを特徴とする静電気中和装置。
【請求項２】
前記ＣＲＴ表示器は、パーソナルコンピュータの表示器であることを特徴とする請求項１記載の静電気中和装置。
【請求項３】
ブラウン管表示面近傍に設けられ、所定間隔で長孔が設けられたダクトと、
貴陽石を材料とするセラミックに高電圧を印加し、マイナスイオンを発生するマイナスイオン発生器と、
該マイナスイオン発生器で発生したマイナスイオンを前記ダクトに導くガイド部材と、
より成ることを特徴とする静電気中和装置。
【請求項４】
人形内に設けられ、貴陽石を材料とするセラミックに高電圧を印加し、マイナスイオンを発生するマイナスイオン発生器と、
該マイナスイオン発生器で発生したマイナスイオンを、前記人形の所定部分に導くガイド部材と、
前記人形の所定部分に形成された前記マイナスイオンの出力部と、
より成ることを特徴とする静電気中和装置。
【請求項５】
電気スタンドのフードに設けられ、所定間隔で長孔が設けられたダクトと、
貴陽石を材料とするセラミックに高電圧を印加し、マイナスイオンを発生するマイナスイオン発生器と、
該マイナスイオン発生器で発生したマイナスイオンを前記ダクトに導くガイド部材と、
より成ることを特徴とする静電気中和装置
【請求項６】
静電気発生部近傍に設けられ、所定間隔で長孔が設けられたダクトと、
貴陽石を材料とするセラミックに高電圧を印加し、マイナスイオンを発生するマイナスイオン発生器と、
該マイナスイオン発生器で発生したマイナスイオンを前記ダクトに導くガイド部材と、
より成ることを特徴とする静電気中和装置。
【発明の詳細な説明】
【技術分野】
【０００１】
本発明は各種機器から放出される静電気の中和すると共に、マイナスイオンを室内に供給する静電気中和装置に関する。
【背景技術】
【０００２】
今日、パーソナルコンピュータ等の情報機器や、テレビ等の家庭用電化製品には静電気や陽イオンを放出する表示装置が広く使用されている。例えば、ＣＲＴディスプレイは、使用時において１ｍ2  内で＋１００〜３００Ｖの陽イオン状態を生成し、特にテレビ等で使用されるプラズマ方式では＋２５００〜３５００Ｖにも達する。
【０００３】
したがって、パーソナルコンピュータのユーザ等は、上記環境において作業を行っており、様々な悪影響を受けることが多くの文献や臨床データから予想されている。また、テレビ場合には画面からある程度離れて見るが、部屋自体に陽イオンがまん延し、人体への悪影響は避けられない。
【０００４】
特許文献１はコロナ放電により電極ピンの先端から陰イオンを発生させ、当該イオンにより静電気の徐電を行う発明であり、電極ピンが静電気徐電装置内の天井にあるバー部に取り付けられており、コロナ放電を発生させ、装置内の静電気を除去する構成である。
【特許文献１】特開平２００１−２１７０９５号公報
【発明の開示】
【発明が解決しようとする課題】
【０００５】
しかしながら、上記構成の静電気徐電装置は、装置内部の静電気を除去するものであり、例えばＣＲＴディスプレイの表面から外部に放出される静電気を除去することはできない。また、ＣＲＴディスプレイ等から発生する静電気を効果的に除去する必要もある。
【０００６】
そこで、本発明はＣＲＴディスプレイ等の表面にマイナスイオン発生器で発生させたマイナスイオンを放射し、プラスイオンを中和させ、人体への影響を無くす静電気中和装置を提供するものである。
【課題を解決するための手段】
【０００７】
本発明は上記目的を達成するため、ＣＲＴ表示器の表面近傍に設けられ、所定間隔で孔が設けられたダクトと、貴陽石を材料とするセラミックに高電圧を印加し、マイナスイオンを発生するマイナスイオン発生器と、該マイナスイオン発生器で発生したマイナスイオンを前記ダクトに導くガイド部材とより成る静電気中和装置を提供することによって達成できる。
【０００８】
このように構成することにより、パーソナルコンピュータ等に使用されるＣＲＴディスプレイで発生する静電気を効果的に中和することができ、パーソナルコンピュータ等の利用者に対する悪影響を回避することができる。
【０００９】
また、本発明は上記目的を達成するため、ブラウン管表示面近傍に設けられ、所定間隔で長孔が設けられたダクトと、貴陽石を材料とするセラミックに高電圧を印加し、マイナスイオンを発生するマイナスイオン発生器と、該マイナスイオン発生器で発生したマイナスイオンを前記ダクトに導くガイド部材とより成る静電気中和装置を提供することによって達成できる。
【００１０】
このように構成することにより、テレビに使用されるブラウン管で発生する静電気を有効に中和することができ、人体への影響を無くすことができる。
また、本発明は上記目的を達成するため、人形内に設けられ、貴陽石を材料とするセラミックに高電圧を印加し、マイナスイオンを発生するマイナスイオン発生器と、該マイナスイオン発生器で発生したマイナスイオンを、前記人形の所定部分に導くガイド部材と、前記人形の所定部分に形成された前記マイナスイオンの出力部とより成る静電気中和装置を提供することによって達成できる。
【００１１】
このように構成することにより、人形と遊ぶ子供等に対して健康によいマイナスイオンの環境を付与することができる。
また、本発明は上記目的を達成するため、電気スタンドのフードに設けられ、所定間隔で長孔が設けられたダクトと、貴陽石を材料とするセラミックに高電圧を印加し、マイナスイオンを発生するマイナスイオン発生器と、該マイナスイオン発生器で発生したマイナスイオンを前記ダクトに導くガイド部材とより成る静電気中和装置を提供することによって達成できる。
【００１２】
このように構成することにより、電気スタンド近傍のみならず、部屋全体をマイナスイオンの環境とし、健康によい生活環境を提供することができる。
また、本発明は上記目的を達成するため、静電気発生部近傍に設けられ、所定間隔で孔が設けられたダクトと、貴陽石を材料とするセラミックに高電圧を印加し、マイナスイオンを発生するマイナスイオン発生器と、該マイナスイオン発生器で発生したマイナスイオンを前記ダクトに導くガイド部材とより成る静電気中和装置を提供することによって達成できる。
【００１３】
このように構成することにより、およそ静電気を発生させる機器に対してマイナスイオンによって静電気を中和させ、室内のイオンバランスを保つことができる。
【発明の効果】
【００１４】
本発明によれば、貴陽石を材料とするセラミックを使用してマイナスイオンを発生し、効率のよい静電気中和装置を提供するものである。
また、室内のイオンバランスを保ち、健康によい室内環境を容易に提供するものである。
【発明を実施するための最良の形態】
【００１５】
以下、本発明の実施の形態を図面を参照しながら説明する。
（実施形態１）
図１は、実施形態１を説明する図であり、パーソナルコンピュータの外観を示す。パーソナルコンピュータ１は、ＣＲＴディスプレイ２、コンピュータ本体３、及びキーボード４で構成されている。コンピュータ本体３にはＣＰＵ、ＲＯＭ、ＲＡＭが搭載され、ＣＰＵはＲＯＭに記憶されたプログラムに従って駆動する。
【００１６】
また、コンピュータ本体３にはメディアドライバ５が配設され、メディアドライバ５にフレキシブルディスクやＣＤ−ＲＯＭ等の記録媒体を装着することによって記録媒体からプログラムやデータを取得する。
【００１７】
ＣＲＴディスプレイ２は筐体２ａで覆われ、表示面２ｂは筐体２ａに取り付けられている。また、表示面２ｂ上部の筐体２ａ’の位置にはパイプ状の細長いダクト６が配設され、ダクト６内を後述するマイナスイオンが流れる。また、ダクト６には一定の間隔で長孔６ａ〜６ｅが形成され、この長孔６ａ〜６ｅからマイナスイオンが放出される構成である。
【００１８】
一方、ＣＲＴディスプレイ２内にはマイナスイオン発生器７が取り付けられている。図２はこのマイナスイオン発生器７の外観構成を示す図である。
マイナスイオン発生器７は、マイナスイオン発生器７の側面に設けられた穴８に不図示のネジを締着して前述の筐体２ａに取り付けられている。マイナスイオン発生器７内には回路基板９が配設され、回路基板９にはマイナスイオンを発生器されるセラミック１０が取り付けられている。また、マイナスイオン発生器７の一端にはファン１１が取り付けられ、矢印方向の風流を作り出している。
【００１９】
一方、マイナスイオン発生器７の他端には開口１２が形成され、上記風流がセラミック１０を通して流れ、開口１２から前述のダクト６に送られる。尚、マイナスイオン発生器７の開口１２とダクト６間にはガイド１３が配設され（図１参照）、マイナスイオン発生器７で生成されたマイナスイオンをダクト６に導く。
【００２０】
また、回路基板９にはマイナスイオンを発生させる回路が形成され、セラミック１０を電極間（＋、−）に挟みこんだ構造であり、例えば電極間に３０００Ｖの直流電圧を印加する回路が組み込まれている。尚、上記マイナスイオンを発生させるセラミック１０としては、貴陽石を使用することによって実現でき、少なくとも１００万個／cc（空気）以上のマイナスイオンを発生させることができる。
【００２１】
尚、上記回路基板９には、ＣＲＴディスプレイ２の電源投入に伴って電力供給が行われる構成である。一方、電池を内蔵し、電力を回路基板９に供給する構成としてもよい。
したがって、上記のように構成することにより、利用者がパーソナルコンピュータ１を使用する際、ＣＲＴディスプレイ２の電源を投入すると同時に、自動的にマイナスイオン発生器７の回路基板９にも電力が供給され、貴陽石で構成されるセラミック１０の電極間に３０００Ｖの直流電圧が印加される。したがって、セラミック１０からは前述のようにマイナスイオンが発生し、マイナスイオン発生器７内はマイナスイオンで満たされる。
【００２２】
この時、同時にファン１１も駆動しており、マイナスイオン発生器７には風流が生成され、マイナスイオン発生器７で生成されたマイナスイオンは開口１２を通してガイド１３を通りダクト６に送られる。さらに、ダクト６に送られたマイナスイオンは、ダクト６に形成された前述の長孔６ａ〜６ｅから下方に放出され、図３に示すように、ＣＲＴディスプレイ２の表示面２ｂ上方からマイナスイオンが下方に流れる。ＣＲＴディスプレイ２の表示面２ｂには静電気が発生しており、上記マイナスイオンは表示面２ｂの前面を流れるため、ＣＲＴディスプレイ２で発生した静電気は効率よく中和される。
【００２３】
したがって、パーソナルコンピュータを操作する利用者はＣＲＴディスプレイ２で発生する静電気の影響を受けることなく、健康上優れた静電気中和装置を提供することができる。また、本例の装置はＣＲＴディスプレイ２への電源投入と同時に作動するので直ちにマイナスイオンを発生し、人体への影響を無くすことができる。
【００２４】
（実施形態２）
次に、本発明の実施形態２について説明する。
本例は本発明の静電気中和装置をブラウン管方式のテレビに適用する例である。以下、具体的に説明する。
【００２５】
図４はブラウン管方式のテレビ１５の構成を示す図である。ブラウン管１６の外周を箱形パネル１７が覆い、ブラウン管１６の表示面１８がテレビ画面となる。また、ブラウン管１６はブラケット１９に取り付けられている。
【００２６】
また、ブラウン管１６の表示面１８上部のパネル１７には前述の実施形態１と同様、パイプ状の細長いダクト２０が配設され、ダクト２０内をマイナスイオンが流れる構成である。また、ダクト２０には一定間隔で長孔２１ａ〜２１ｅが形成され、この長孔２１ａ〜２１ｅからマイナスイオンが放出される構成である。
【００２７】
また、パネル１７内には前述と同様マイナスイオン発生器２２が取り付けられ、マイナスイオン発生器２２はパネル１７の側面に設けられた穴２３に不図示のネジを締着して取り付けられている。
【００２８】
尚、マイナスイオン発生器２２に設けられた回路基板やマイナスイオンを発生するセラミックの構成は前述の実施形態と同様であり、又マイナスイオン発生器２２の一端にはファン２４が取り付けられ、他端には開口２５が設けられ、更にマイナスイオン発生器２２の開口２５からダクト２０までの間にガイド２６が配設される構成である。
【００２９】
したがって、上記のように構成することにより、利用者がテレビの電源を入れると、自動的にマイナスイオン発生器２２の回路基板にも電力が供給され、貴陽石で構成されるセラミックの電極間に３０００Ｖの直流電圧が印加され、セラミックから前述のようにマイナスイオンが発生する。マイナスイオン発生器７で発生したマイナスイオンはガイド２６を通りダクト２０に送られる。
【００３０】
さらに、ダクト２０に送られたマイナスイオンは、ダクト２０に形成された長孔２１ａ〜２１ｅから放出され、図４に示すように、ブラウン管１６の表示面１８にマイナスイオンが放出される。
【００３１】
この時、表示面１８には静電気が発生しており、上記マイナスイオンは表示面１８の前面を流れるため、静電気を効率よく中和する。したがって、本例においても、テレビを見ているユーザに、静電気の悪影響を与えることがなく、健康上優れた静電気中和装置を提供することができる。
【００３２】
（実施形態３）
次に、本発明の実施形態３について説明する。
本例は本発明の静電気中和装置を人形に適用する例である。以下、具体的に説明する。
【００３３】
図５は本例で使用する人形の外観を示す図である。同図において、人形３０の内部には前述の構成と同じマイナスイオン発生器が取り付けられ、例えば人形３０のお腹にはマイナスイオンの出力部３１が設けられている。また、人形３０の目３２にはＬＥＤが配設され、電源コード３３を介して人形３０に電力供給が行われる。
【００３４】
このように構成することによっても、人形３０に電力供給を行い、マイナスイオン発生器によってマイナスイオンを発生させ、人形３０のお腹に形成された出力部３１からマイナスイオンを出力することができる。尚、マイナスイオンの出力はお腹に限らず、例えば人形３０の口３４等の他の箇所から放出する構成としてもよい。
【００３５】
したがって、本例においても、人形３０からマイナスイオンが放出され、例えば人形３０と遊ぶ子供等に対して、健康上優れた装置となる。
尚、本例において、目３２の部分に配設されたＬＥＤを利用して電源オン状態やマイナスイオン発生の有無を表示する構成とすることができる。例えば、緑のＬＥＤを発光して人形３０に電源が入っていることを示し、赤のＬＥＤを発光することによってマイナスイオン発生器が駆動していることを表す。
【００３６】
（実施形態４）
次に、本発明の実施形態４について説明する。
本例は本発明の静電気中和装置を電気スタンドに適用する例である。以下、具体的に説明する。
【００３７】
図６は本例で使用する電気スタンドの外観図である。同図において、スタンド４０はフード４１、支柱４２、台座４３、及びスイッチ４４で構成され、フード４１の周縁にはパイプ状のダクト４５が配設され、ダクト４５内をマイナスイオンが流れる。また、ダクト４５には一定の間隔で長孔４６ａ〜４６ｅが形成され、この長孔４６ａ〜４６ｅからマイナスイオンが放出される。
【００３８】
また、スタンド４０にはマイナスイオン発生器が取り付けられ、マイナスイオン発生器はフード４１で隠れる位置に配設されている。尚、マイナスイオン発生器の構成は前述の実施形態と同様であり、内部に回路基板が配設され、セラミックの電極間に高圧を印加することによってマイナスイオンを発生する。
【００３９】
このマイナスイオンは不図示のガイドを介してダクト４５に送られ、ダクト４５に形成された長孔４６ａ〜４６ｅから放出され、電気スタンド４０近傍をマイナスイオンで満たす。
このように構成することにより、室内にいる人に対して静電気の影響を無くし、健康上優れた装置とすることができる。
【００４０】
（その他の実施形態）
以上の実施形態に限らず、本発明は各種機器に適応でき、例えば電子レンジや額、加湿器、ストーブ等に適応でき、極めて有効な静電気中和装置とすることができる。
【００４１】
また、本発明はパチンコ台のガラス面上部にダクトを設け、マイナスイオンを供給する構成としてもよい。この場合、パチンコ台内に設けられたマイナスイオン発生器で発生したマイナスイオンは、不図示のガイドを介してダクトに送られ、ダクトに形成された長孔から下方に放出することによりパチンコ台近傍をマイナスイオンで満たすことができる。また、多くパチンコ台に同じ構成の静電気中和装置を配設することにより、タバコの煙が充満するパチンコ店において店内全体をマイナスイオンで満たすことができ、より有効な装置とすることができる。
【００４２】
さらに、図７に示すように、自動車の運転席前のパネル部分に設けられた外気又は冷気吹出口５０の内部に、前述の構成のマイナスイオン発生器５１ａ、５１ｂを配設し、不図示のファンによる外気又は冷気の風流を利用してマイナスイオンを車の室内に放出する構成としてもよい。
【００４３】
また、この場合、操作部５２に設けられた不図示のボタンを操作し、マイナスイオン発生器５１ａ、５１ｂの駆動、非駆動を制御する構成としてもよい。
尚、上記各実施形態の説明において、マイナスイオン発生器にはファンを取り付ける構成としたが、必ずしもファンを取り付ける構成とする必要はない。
【００４４】
また、マイナスイオンの放出部は必ずしも表示面の上方に限るものではなく、表示面の側部や下部であってもよい。
【図面の簡単な説明】
【００４５】
【図１】ＣＲＴディスプレイを使用したパーソナルコンピュータに対する静電気中和装置の構成を示す図である。
【図２】マイナスイオン発生器の構成を説明する図である。
【図３】マイナスイオンの流れを説明する図である。
【図４】ブラウン管を使用したテレビに対する静電気中和装置の構成を示す図である。
【図５】人形を使用した静電気中和装置の構成を示す図である。
【図６】電気スタンドに適用した静電気中和装置の構成を示す図である。
【図７】自動車の運転席前のパネル部分にマイナスイオン発生器を設けた例を説明する図である。
【符号の説明】
【００４６】
１      パーソナルコンピュータ
２      ＣＲＴディスプレイ
３      コンピュータ本体
４      キーボード
５      メディアドライバ
６      ダクト
６ａ〜６ｅ      長孔
７      マイナスイオン発生器
８      穴
９      回路基板
１０      セラミック
１１      ファン
１２      開口
１３      ガイド
１５      テレビ
１６      ブラウン管
１７      箱形パネル
１８      表示面
１９      ブラケット
２０      ダクト
２１ａ〜２１ｅ      長孔
２２      マイナスイオン発生器
２３      穴
２４      ファン
２５      開口
２６      ガイド
３０      人形
３１      出力部
３２      目
３３      電源コード
３４      口
４０      電気スタンド
４１      フード
４２      支柱
４３      台座
４４      スイッチ
４５      ダクト
４６ａ〜４６ｅ      長孔
５０      外気又は冷気吹出口
５１ａ、５１ｂ      マイナスイオン発生器
５２      操作部
【図１】
2006059534.tif 000003
【図２】
2006059534.tif 000004
【図３】
2006059534.tif 000005
【図４】
2006059534.tif 000006
【図６】
2006059534.tif 000007
【図５】
2006059534.tif 000008
【図７】
2006059534.tif 000009